(57)【要約】【課題】バーコード・ハンディ・ターミナルで読取り不可能なバーコードの入力を容易にできかつ、誤入力をなくすことができる同種製品群のバーコード入力方法を提供する。【解決手段】本同種製品群のバーコード入力方法は、読取り可能なバーコードの入力後、ターミナルでは読取り不可能で目視で読取り可能なバーコードの入力時、予め記憶された同種製品群の製品コードを前記ターミナルの表示部に表示させ、この中から目視で読取りされた製品コードと同一の製品コードを探し、ターミナルの入力手段により入力させる。【選択図】  図１
2005049998.tif 000002
【特許請求の範囲】
【請求項１】
バーコード・ハンディ・ターミナルにより読取り可能な製品コードのバーコードが付された製品と、前記ターミナルでは読取り不可能で目視で読取り可能な製品コードのバーコードが付された製品からなる同種製品群のバーコード入力方法において、前記読取り可能なバーコードの入力後、前記ターミナルでは読取り不可能で目視で読取り可能なバーコードの入力時、予め記憶された同種製品群の製品コードを前記ターミナルの表示部に表示させ、この中から目視で読取りされた製品コードと同一の製品コードを探し、この製品コードを前記ターミナルの入力手段を用いて入力させることを特徴とする同種製品群のバーコード入力方法。
【請求項２】
請求項１に記載の同種製品群のバーコード入力方法において、前記同種製品群を構成する製品は、重量物であることを特徴とする同種製品群のバーコード入力方法。
【請求項３】
請求項２に記載の同種製品群のバーコード入力方法において、前記同種製品群を構成する製品は、重量物で断面形状が略コ字状をなし長尺物のシートパイルであることを特徴とする同種製品群のバーコード入力方法。
【請求項４】
請求項１ないし３のいずれか１項に記載の同種製品群のバーコード入力方法において、前記同種製品群は、間隔を設けて束ねられることを特徴とする同種製品群のバーコード入力方法。
【請求項５】
請求項１ないし４のいずれか１項に記載の同種製品群のバーコード入力方法において、前記同種製品群は、積重ねて束ねられることを特徴とする同種製品群のバーコード入力方法。
【請求項６】
請求項１に記載の同種製品群のバーコード入力方法において、前記予め記憶された同種製品群の製品コードの表示部への表示は、表示候補の絞り込み要素を用いて行うことを特徴とする同種製品群のバーコード入力方法。
【発明の詳細な説明】
【０００１】
【発明の属する技術分野】
本発明は同種製品群のバーコード入力方法に係わり、特にバーコード・ハンディ・ターミナルで読取り不可能なバーコードの入力を容易にした同種製品群のバーコード入力方法に関する。
【０００２】
【従来の技術】
従来、製品の生産工場から出荷倉庫への搬入時あるいは、出荷倉庫から客先への出荷時等において、製品に付された製品コードを情報含むバーコードをバーコード・ハンディ・ターミナル（以下、単にターミナルという。）により読取り、これを記憶装置に記憶することで全製品の出庫履歴を管理している。
【０００３】
しかしながら、図３に示すように、管理対象の製品が、重量大で断面形状が略コ字状をなし長尺物のシートパイル（鋼矢板）のような場合、これを一束に括ってシートパイル群として出荷する時、図４に示すように、シートパイル１１の端部が奥の方にずれていると、シートパイル１１の端部に貼付されたバーコードラベル１２も奥の方になってしまいあるいは、バーコードラベルが奥の方に貼られているまたは、図５に示すように、積重ねられるシートパイル間の隙間が狭いと、大部分のシートパイルはそのバーコードをターミナル１３では読取ることができるが、ターミナル１３は図６および図７に示すような特性を有するため、一部のシートパイルはそのバーコードをターミナルでは読取ることができなくなる。そこで、作業者は読み取り可能な最上段のバーコードだけを読み取って、ロット管理により、読み取り不可能なバーコードについても、適正に出荷されているものとして取り扱っている。この方法では稀にミスが発生し、問題がある。また、作業者は読取ることができないバーコードを目視で読取り、ターミナルに設けられた入力キーを用いて、１字づつ入力しているが、入力操作が煩雑であり、誤入力が発生する場合がある。
【０００４】
【発明が解決しようとする課題】
本発明は上述した事情を考慮してなされたもので、バーコード・ハンディ・ターミナルで読取り不可能なバーコードの入力を容易にできかつ、誤入力をなくすことができる同種製品群のバーコード入力方法を提供することを目的とする。
【０００５】
【課題を解決するための手段】
上記目的を達成するため、本発明の１つの態様によれば、バーコード・ハンディ・ターミナルにより読取り可能な製品コードのバーコードが付された製品と、前記ターミナルでは読取り不可能で目視で読取り可能な製品コードのバーコードが付された製品からなる同種製品群のバーコード入力方法において、前記読取り可能なバーコードの入力後、前記ターミナルでは読取り不可能で目視で読取り可能なバーコードの入力時、予め記憶された同種製品群の製品コードを前記ターミナルの表示部に表示させ、この中から目視で読取りされた製品コードと同一の製品コードを探し、この製品コードを前記ターミナルの入力手段を用いて入力させることを特徴とする同種製品群のバーコード入力方法が提供される。これにより、バーコード・ハンディ・ターミナルで読取り不可能なバーコードの入力を容易かつ、誤入力をなくすことができる同種製品群のバーコード入力方法が実現される。
【０００６】
好適な一例では、前記同種製品群を構成する製品は、重量物である。これにより、シートパイルが手で容易に動かせない重量物であっても、ターミナルにより読取りはできないバーコードラベルの入力を容易に行うことができる。
【０００７】
また、他の好適な一例では、前記同種製品群を構成する製品は、重量物で断面形状が略コ字状をなし長尺物のシートパイルである。
【０００８】
また、他の好適な一例では、前記同種製品群は、間隔を設けて束ねられる。
【０００９】
また、他の好適な一例では、前記同種製品群は、積重ねて束ねられる。
【００１０】
また、他の好適な一例では、前記予め記憶された同種製品群の製品コードの表示部への表示は、表示候補の絞り込む要素を用いて行う。これにより、探している製品コードを確率よく表示製品コードの中に含ませることができ、迅速な入力作業が行える。
【００１１】
【発明の実施の形態】
以下、本発明に係わる同種製品群のバーコード入力方法の一実施形態について添付図面を参照して説明する。
【００１２】
図１は本発明に係わる同種製品群のバーコード入力方法の実施フロー図である。
【００１３】
図１に示すように、本同種製品群のバーコード入力方法は、図１（ｂ）に示すようなターミナル１を用いてバーコードを入力するものであり、例えば、図１（ａ）に示すような読取り可能な製品コードのバーコードラベル２ａが貼付されたシートパイル３ａとターミナル１では読取り不可能で目視で読取り可能な製品コードのバーコードラベル２ｂが貼付されたシートパイル３ｂが一束に括った同種製品群例えばシートパイル群３に対してその製品コードの入力を行う。
【００１４】
はじめに、読取り可能、例えば最上段のシートパイル３ａに貼付されたバーコードラベル２ａの読取りを行い、ターミナル１に製品コードを入力し、さらに、図２に示すようなターミナル１に通信手段により接続された製品管理サーバ４の記憶装置４ａに記憶させる。
【００１５】
しかる後、次下段のシートパイル３ｂに貼付されたバーコードラベル２ｂの読取りを行う。このとき、図１（ａ）の拡大図に示すように、上記最上段のシートパイル３ａと次下段のシートパイル３ｂ間の隙間が小さく、ターミナル１によるバーコードラベル２ｂの読取りはできない。
【００１６】
そこで、ターミナル１に設けられたコード呼出しキーを操作して、シートパイル３の生産時、その生産の昇順に付され各々のシートパイル３に与えられ予め記憶装置４ａに記憶された製品コードを呼出して、図１（ｃ）およびその拡大図に示すように数個例えば３個の製品コードを表示部４ａに表示させる。
【００１７】
作業者はターミナル１では読取りはできないバーコードラベル２ｂを目視により読取り、この製品コードと同一の製品コードを表示部４ａに表示された数個の製品コードの中から見付け出し、同一の製品コードを入力キーを用いてターミナル１に製品コードを入力し、さらに、ターミナル１に接続された記憶装置４ａに記憶させる。これにより、ターミナルで読取り不可能なバーコードの入力を容易にできかつ、誤入力をなくすことができる。また、シートパイルが手で容易に動かせない重量物であっても、ターミナルにより読取りはできないバーコードラベルの入力を容易に行うことができる。
【００１８】
以下同様の方法でターミナルで読取り可能および不可能なバーコードを入力する。
【００１９】
また、最上段のシートパイル３ｂに貼付されたバーコードラベル２ｂが作業者の靴に踏まれるなどして、ターミナル１では識別不可能な場合には、次下段のシートパイル３ａに貼付されたバーコードラベル２ａの読取りを先に行い、ターミナル１に製品コードを入力し記憶させ、その後、コード呼出しキーを例えば２度操作して、下記に述べる表示候補の絞り込み要素の「▲４▼直前に読み取った製品と出荷先が同じとして扱う」に基づき、３個の製品コードを表示部４ａに表示させる。最上段のバーコードラベル２ｂを目視により読取り、この製品コードと同一の製品コードを表示部４ａに表示された数個の製品コードの中から見付け出し、同一の製品コードを入力キーを用いてターミナル１に製品コードを入力し、記憶装置４ａに記憶させる。
【００２０】
上記のように作業者はターミナル１による識別と目視による識別の順番を考慮しながら、表示候補の絞り込み要素を活用して、探している製品コードを確率よく表示させることができる。
【００２１】
また上記のように用いられ、図１（ｃ）の拡大図に示すような３個の製品コードの表示部４ａへの表示時、読み込み不可能な製品コードに対する表示候補の絞り込み要素として、以下のものが用いられる。
▲１▼  結束してある製品束（群）の生産ロットは同じかあるいは近いので、既に読み込み入力された直近の製品コードに続く製品コードを呼出す。
▲２▼  直前に読み取ったラベルだけでなく直近の３件分程度をロット検索キーに割り当てる。
▲３▼  呼出した３件分の製品群が異なるときは、直前に呼出した１件が製品束の最上段である可能性が高いので、降順に呼出すようにする。この場合の検索候補は最上段製品より先に生産されている可能性が高いからであり、先に生産された製品を積重ねるときの下段になるからである。
▲４▼  直前に読み取った製品と出荷先が同じとして扱う。
▲５▼  直前に読み取った製品と入庫日時が同じとして扱う。
【００２２】
上記のような表示候補の絞込み要素を用いることで、探している製品コードを確率よく表示される製品コードの中に含ませることができ、迅速な入力作業が行える。
【００２３】
上記実施形態によれば、ターミナルで読取り不可能なバーコードの入力を容易にでき、迅速かつ、誤入力をなく入力作業が行える。
【００２４】
なお、上記実施形態では、シートパイルを例にとって説明したが、本発明に係わる同種製品群のバーコード入力方法は、包装箱毎にバーコードが付され一括して束ねられた同種製品群等如何なる同種製品群にも適用できる。
【００２５】
【発明の効果】
本発明に係わる同種製品群のバーコード入力方法によれば、バーコード・ハンディ・ターミナルで読取り不可能なバーコードの入力を容易にできかつ、誤入力をなくすことができる同種製品群のバーコード入力方法を提供することができる。
【図面の簡単な説明】
【図１】本発明に係わる同種製品群のバーコード入力方法の実施フロー図。
【図２】本発明に係わる同種製品群のバーコード入力方法に用いられるシステムの概念図。
【図３】一般的な同種製品群の斜視図。
【図４】一般的な同種製品群の積重ね状態図。
【図５】一般的な同種製品群の積重ね状態図。
【図６】一般的なバーコード・ハンディ・ターミナルの特性を示す説明図。
【図７】一般的なバーコード・ハンディ・ターミナルの特性を示す説明図。
【符号の説明】
１  ターミナル
２ａ  読取り可能なバーコードラベル
２ｂ  読取り不可能なバーコードラベル
３  シートパイル
３ａ  シートパイル
３ｂ  シートパイル
４ａ  記憶装置
【図１】
2005049998.tif 000003
【図２】
2005049998.tif 000004
【図３】
2005049998.tif 000005
【図４】
2005049998.tif 000006
【図５】
2005049998.tif 000007
【図６】
2005049998.tif 000008
【図７】
2005049998.tif 000009